(57)【特許請求の範囲】
【請求項１】
光源からの光を用いて複数の２次光源像を形成するオプティカルインテグレータと、
前記オプティカルインテグレータに前記光源からの光を集光する集光光学系と、
前記オプティカルインテグレータにより形成された前記複数の２次光源像からの光で被照明面を重畳的に照明する照明光学系と、
前記オプティカルインテグレータの入射面とほぼ共役な位置に配置され、開口径可変な絞りと、
を備え、
前記集光光学系は、
前記開口絞りの位置を物体面、前記オプティカルインテグレータの入射面を像面とし、
前記オプティカルインテグレータの入射面の光強度分布の大きさを可変とする結像変倍光学系と、を有し、
前記絞りの開口径及び前記結像変倍光学系の結像倍率を変更することで、前記被照明面を照明する光のＮＡを変更することを特徴とする照明装置。
【請求項２】
前記集光光学系は、前記光源からの光を導光する内面反射部材を有し、
前記内面反射部材の射出面を前記結像変倍光学系により、前記オプティカルインテグレータの入射面に投影しており、前記内面反射部材の射出面近傍に、前記絞りを配置したことを特徴とする請求項１の照明装置。
【請求項３】
前記絞りは、開口部の大きさが異なる複数の絞りをタレット状に配置し、それらのうちから１つを選択することによって、開口を可変とした絞りであることを特徴とする請求項１又は２の照明装置。
【請求項４】
光源からの光の強度分布を均一化するための内面反射部材と、
前記内面反射部材に前記光源からの光を集光する集光光学系と、
前記内面反射部材の射出面の光強度分布を被照明面に投影する照明光学系と、
前記内面反射部材の入射面と光学的にほぼ瞳の関係である位置に配置され、開口径可変な絞りと、
を備え、
前記集光光学系は、
前記絞りの位置の光強度の位置分布を角度分布に変換し、該角度分布の最大値を可変とする焦点距離可変光学系を有し、
前記絞りの開口径及び前記焦点距離可変光学系の焦点距離を変更することで、前記被照明面を照明する光のＮＡを変更することを特徴とする照明装置。
【請求項５】
光源と、
該光源からの光束を用いて複数の２次光源像を形成するオプティカルインテグレータと、
該オプティカルインテグレータに光源からの光を導く集光光学系と、
該オプティカルインテグレータにより形成された複数の２次光源像からの光束を集光して被照明面を重畳的に照明する照明光学系とを有し、
該集光光学系は、該オプティカルインテグレータの入射面に、該２次光源像の大きさを可変として集光する結像変倍光学系と、内面反射をして導光する内面反射部材を有しており、
該内面反射部材の射出面を該結像変倍光学系により、オプティカルインテグレータの入射面に投影しており、該内面反射部材は径の異なる複数の内面反射部材が取り替え可能となっていることを特徴とする照明装置。
【請求項６】
請求項１から５のいずれか１項の照明装置を用いて、被照明面に設けた物体面上のパターンを投影光学系により露光基板に投影露光していることを特徴とする投影露光装置。
【請求項７】
請求項６の投影露光装置を用いて物体面上のパターン投影光学系により露光基板上に投影露光した後、該露光基板を現像処理してデバイスを製造することを特徴とするデバイスの製造方法。
【発明の詳細な説明】
【０００１】
【発明の属する技術分野】
本発明は照明装置及びそれを用いた投影露光装置に関し、例えばＩＣ，ＬＳＩ，ＣＣＤ，液晶パネル，磁気ヘッド等の各種のデバイスの製造装置である、所謂ステッパーにおいて、照明装置からの露光光で均一照明したフォトマスクやレチクル等の原版（以下「レチクル」という）上の回路パターンを感光剤を塗布したウエハ面上に投影転写し、デバイスを製造する際に好適なものである。
【０００２】
【従来の技術】
半導体素子の製造用の投影露光装置では、照明系からの光束で電子回路パターンを形成したレチクルを照射し、該パターンを投影光学系でウエハ面上に投影露光している。
【０００３】
投影露光装置で，より一層微細なパターンからなる半導体素子等を製造するための一要素として投影露光装置の投影光学系のＮＡと照明条件とを最適化することがある。
【０００４】
照明条件は，投影光学系のＮＡに対する照明光学系のＮＡ（照明光学系より照射される照明光束のＮＡ）の比に相当するコヒーレンスファクター（σ値）によって決定される。そのため，従来より所定のパターンについての解像力とコントラストとの適切なバランスを得る最適照明条件になるように，両光学系のＮＡ比の調整がされている。
【０００５】
投影露光装置の照明光学系においては，照明光学系中に配置したオプティカルインテグレータによって，形成された２次光源像が被照明面と瞳の関係になっている。したがって，照明光学系におけるこの２次光源像の大きさを変えることで，照明光学系のＮＡを変えている。
【０００６】
従来より、照明装置において、この２次光源像の大きさを変える方法が種々と提案されている。例えば，特開昭５９−１５５８４３号公報では，オプティカルインテグレータの射出側の位置に開口部の大きさが可変な可変開口絞りを配置し，この可変開口絞りの開口部の大きさを変化させて，２次光源像の大きさを制御する方法が提案されている。
【０００７】
又，特開平４−３６９２０９号公報では，オプティカルインテグレータと，光源との間に焦点距離可変光学系を配置し，アフォーカル変倍光学系の倍率を変えることにより，オプティカルインテグレータの入射面での光強度分布を変え，２次光源像の大きさを可変とする方法が提案されている。
【０００８】
【発明が解決しようとする課題】
近年のパターンの微細化と多様化にともない，投影光学系のＮＡと照明条件の最適組み合わせは多種多様にわたっている。投影露光装置はこのような背景から，例えば，投影光学系のＮＡが０．５０から０．７０まで連続可変であり，照明条件のσが０．３０からσが０．８０まで連続可変であるような，投影光学系のＮＡと照明条件の選択範囲の広い設計が望まれている。
【０００９】
ここで上記の例の場合、σ値の可変範囲を実現するために，照明光学系のＮＡは，最大で投影光学系のＮＡが０．７０でσ０．８０の時のＮＡｏ＝０．５６から，最小で投影光学系のＮＡが０．５０でσが０．３０の時のＮＡｏ＝０．１５まで可変である必要がある。
【００１０】
この時，照明光学系の最大ＮＡｏ＝０．５６でオプティカルインテグレータの作る２次光源像の半径を１とすると，２次光源像の大きさは，半径１から約０．２７（０．１５／０．５６）まで連続可変にする必要がある。
【００１１】
２次光源像の大きさを半径１から０．２７まで連続可変にしようとすると，特開平４−３６９２０９号公報等に提案されている変倍光学系を用いた光学系では，ズーム比が約３．７倍の変倍光学系を設計しなければならない。しかし，変倍光学系のズーム比は変倍光学系の駆動レンズのストロークによって決まってしまうので，ズーム比が大きくなると駆動レンズのストロークが長くなり，レンズ長が長くなってしまうという問題があった。
【００１２】
また，特開昭５９−１５５８４３号公報等に提案されている，オプティカルインテグレータの射出端（射出面）に可変絞りを配置し，２次光源の大きさを連続可変にしようとした場合には次のような問題がある。開口径可変な絞りとして，開口の大きさを違えた絞りをタレット状に配置し，それを選ぶことにより開口の大きさを調整する可変絞りを使用した場合には，可変である開口の大きさは離散的であり，２次光源像の大きさを連続可変とすることができないという問題があった。
【００１３】
また，開口の大きさを連続可変とするために虹彩絞りのような連続可変絞りを配置することも考えられるが，構成が複雑となり，虹彩絞りを配置するために大きなスペースを確保しなければならないという問題があった。
【００１４】
本発明は、結像変倍光学系のズーム比が小さくてもオプティカルインテグレータ又は内面反射部材の形成する２次光源像の大きさ又は角度分布を連続可変とし、所望の照明条件が容易に得られ、高集積度のパターン像を形成する際に好適な照明装置及びそれを用いた投影露光装置の提供を目的とする。
【００１５】
【課題を解決するための手段】
請求項１の発明の照明装置は、光源からの光を用いて複数の２次光源像を形成するオプティカルインテグレータと、
前記オプティカルインテグレータに前記光源からの光を集光する集光光学系と、
前記オプティカルインテグレータにより形成された前記複数の２次光源像からの光で被照明面を重畳的に照明する照明光学系と、
前記オプティカルインテグレータの入射面とほぼ共役な位置に配置され、開口径可変な絞りと、
を備え、
前記集光光学系は、
前記開口絞りの位置を物体面、前記オプティカルインテグレータの入射面を像面とし、
前記オプティカルインテグレータの入射面の光強度分布の大きさを可変とする結像変倍光学系と、を有し、
前記絞りの開口径及び前記結像変倍光学系の結像倍率を変更することで、前記被照明面を照明する光のＮＡを変更することを特徴としている。
【００１６】
請求項２の発明は請求項１の発明において、前記集光光学系は、前記光源からの光を導光する内面反射部材を有し、
前記内面反射部材の射出面を前記結像変倍光学系により、前記オプティカルインテグレータの入射面に投影しており、前記内面反射部材の射出面近傍に、前記絞りを配置したことを特徴としている。
【００１７】
請求項３の発明は請求項１又は２の発明において、前記絞りは、開口部の大きさが異なる複数の絞りをタレット状に配置し、それらのうちから１つを選択することによって、開口を可変とした絞りであることを特徴としている。
【００１８】
請求項４の発明の照明装置は、光源からの光の強度分布を均一化するための内面反射部材と、
前記内面反射部材に前記光源からの光を集光する集光光学系と、
前記内面反射部材の射出面の光強度分布を被照明面に投影する照明光学系と、
前記内面反射部材の入射面と光学的にほぼ瞳の関係である位置に配置され、開口径可変な絞りと、
を備え、
前記集光光学系は、
前記絞りの位置の光強度の位置分布を角度分布に変換し、該角度分布の最大値を可変とする焦点距離可変光学系を有し、
前記絞りの開口径及び前記焦点距離可変光学系の焦点距離を変更することで、前記被照明面を照明する光のＮＡを変更することを特徴としている。
【００１９】
請求項５の発明の照明装置は、光源と、
該光源からの光束を用いて複数の２次光源像を形成するオプティカルインテグレータと、
該オプティカルインテグレータに光源からの光を導く集光光学系と、
該オプティカルインテグレータにより形成された複数の２次光源像からの光束を集光して被照明面を重畳的に照明する照明光学系とを有し、
該集光光学系は、該オプティカルインテグレータの入射面に、該２次光源像の大きさを可変として集光する結像変倍光学系と、内面反射をして導光する内面反射部材を有しており、
該内面反射部材の射出面を該結像変倍光学系により、オプティカルインテグレータの入射面に投影しており、該内面反射部材は径の異なる複数の内面反射部材が取り替え可能となっていることを特徴としている。
【００２０】
請求項６の発明の投影露光装置は、請求項１から５のいずれか１項の照明装置を用いて、被照明面に設けた物体面上のパターンを投影光学系により露光基板に投影露光していることを特徴としている。
【００２１】
請求項７の発明のデバイスの製造方法は、請求項６の投影露光装置を用いて物体面上のパターン投影光学系により露光基板上に投影露光した後、該露光基板を現像処理してデバイスを製造することを特徴としている。
【００２７】
【発明の実施の形態】
図１は本発明の照明装置及びそれを用いた投影露光装置の実施形態１の要部概略図である。同図は、ＬＳＩやＶＬＳＩ等の半導体チップや、ＣＣＤ，磁気センサ，液晶素子等のデバイスを製造するステップアンドリピート型やステップアンドスキャン型の投影露光装置を示している。
【００２８】
図中、１は紫外線や遠紫外線等を放射する高輝度の超高圧水銀灯やエキシマレーザー等の光源（光源手段）であり、光を特定の輝度分布と特定の配光分布で発散している。
【００２９】
２は楕円鏡であり、その第１焦点２ａに光源１の発光点が位置するように設定している。光源１の発光点は楕円鏡２によって第２焦点２ｂに結像する。
【００３０】
３は第１の開口径可変の絞りであり、開口の大きさを違えた複数の絞り３ａをタレット状に配置しており、複数の絞りの中から１つを選択する事によって，開口の大きさを種々変えている。
【００３１】
３ｂはターレット状の複数の絞り３ａを駆動させる為の駆動手段である。４は集光光学系であり、結像変倍光学系より成っている。
【００３２】
結像変倍光学系４は，絞り３ａの位置の光強度分布を，オプティカルインテグレーター５の入射面５ａに，駆動手段１０によって，駆動レンズ４ｂ，４ｃを駆動することにより倍率可変に投影している。なお，レンズのパワー配置やレンズ構成については，結像変倍光学系であればどのようなものでも構わない。
【００３３】
オプティカルインテグレーター５は，その射出面５ｂに多数の２次光源像を形成する。６は第２の可変絞りであり、オプティカルインテグレーター５の射出面５ｂ近傍に配置され，例えば図１０に示すように輪帯照明，４重極照明等の異なる開口形状の複数の絞り６ａ（６ａ１〜６ａ４）をタレット状に配置している。絞り６ａを，選択する事によって，開口の形状を変えている。
【００３４】
可変絞り６は照明光学系７のＮＡ以外の照明モードの変化，たとえば，変形照明法に対応するための絞りであって，照明光学系のＮＡを変えるためには必ずしも使用する必要はない。
【００３５】
６ｂはターレット状の複数の絞り６ａを駆動させる為の駆動手段である。照明光学系７はコンデンサーレンズより成っている。
【００３６】
コンデンサーレンズ７は，オプティカルインテグレーター５の射出面５ｂに多数形成された２次光源像を有効光源として用い，そこからの光束を被照射面であるレチクルＲを重畳的に照明している。
【００３７】
８は投影光学系であり，レチクルＲ上のパターンをウエハーＷ上に良好に投影結像する。９は第３の可変絞りであり，可変手段１１によって，投影光学系のＮＡを可変としている。
【００３８】
制御装置１２は入力手段１３からの入力信号にしたがって，第１の可変絞り，第２の可変絞り６，第３の可変絞り９，そして結像変倍光学系４を駆動制御し，所望の投影光学系のＮＡと照明条件を実現している。
【００３９】
レチクルＲ上の微細なパターンを良好にウエハＷに結像するために，投影光学系８のＮＡや照明条件を最適化する必要がある。投影光学系８のＮＡは，可変絞り９の開口を変える事によって，可変にしている。
【００４０】
照明光学系のＮＡを変えるために本実施形態では、可変絞り３の開口と，結像可変光学系４のレンズを駆動し、変倍する事によって可変にしている。図２と図３に従って，照明光学系のＮＡの可変方法を説明する。
【００４１】
図２，図３は，図１における，可変絞り３ａから，オプティカルインテグレータ５の入射面５ａまでを詳細に示したものである。図２（Ａ），（Ｂ）は結像変倍光学系４により倍率を変えることによって，オプティカルインテグレーター５ヘの入射面５ａへの光束の入射径の大きさを変えて，射出面５ｂに形成される２次光源像の大きさを変える様子を示している。作用としては，例えば特開平４−３６９２０９号公報で開示している方法と同じであり，結像変倍光学系４のズーム比内で．２次光源像の大きさを連続可変としている。
【００４２】
図３は，可変絞り３の絞り３ａの開口の大きさを変えた状態を示す。図３（Ａ）の絞り３ａの開口は，図２の状態よりも小さくなっており，結像変倍光学系４に入る光は少なくなっている。結像変倍光学系４は，絞り３ａの位置を物体面とし，入射面５ａの位置を像面とする結像光学系であるので，物体面での光強度分布の大きさが小さくなれば，像面での光強度分布の大きさも小さくなる。
【００４３】
例えば，結像変倍光学系４のズーム比が２倍であるとすると，２次光源像の最大半径を１とすると，従来技術によれば，２次光源像の大きさは，半径１から０．５までしか可変ではないが，図３に示すように，絞り３ａの開口径を小さくし，絞り径が０．５倍である絞りを入れて，結像変倍光学系４の倍率を変えることにより，２次光源の大きさは半径０．５から０．２５まで変えている。
【００４４】
つまり，本実施形態によれば，ズーム比が２倍の結像変倍光学系４を用いて，２次光源像の大きさを半径１から０．２５まで連続的に変えることができる。
【００４５】
なお，可変絞り３のタレット上に開口径の異なる複数の絞りを置き，絞り３ａの位置に入れる絞りをより小さい絞りに切り替えて，より２次光源像の分布を大きな幅で連続可変とすることも可能である。又絞り３に輪帯や，四重極といった変形照明用の絞りを入れる事によって，投影光学系８のＮＡが変化しても，同じ変形照明条件で照明する事もできる。
【００４６】
例えば，輪帯照明の場合，輪帯の照明条件は輪帯の内側と外側のσ値によって決まっている。従来技術においては，オプティカルインテグレータ５の射出面５ｂに輪帯の絞りを入れて，この照明条件を実現していた。しかし，この場合，投影光学系５のＮＡが変わった時に，それにあわせて照明光学系のＮＡを変えられないので，輪帯の内側と外側のσ値は変わってしまい，絞りを交換しない限り，ＮＡを変えた場合に，内側と外側のσ値を不変にすることはできなかった。
【００４７】
しかし，本実施形態の，結像変倍光学系４の物体面に輪帯の絞りを置いている場合には，投影光学系８のＮＡの変化に合せて，結像変倍光学系４の倍率を変えることによって，照明光学系のＮＡを変えることができるので，一つの絞りを用いて，投影光学系８のＮＡが変わったとしても，輪帯の内側と外側のσ値が等しい，同一の照明条件を達成することができる。
【００４８】
本実施形態では以上のように、オプティカルインテグレータの入射面を像面とする結像変倍光学系の，物体面近傍に光強度分布の大きさを変える可変絞りを配置して，結像変倍光学系の物体面での光強度分布の大きさとズーム比との組み合わせによって，連続的に２次光源像の大きさを変えている。
【００４９】
図４は本発明の照明装置を用いた投影露光装置の実施形態２の要部概略図である。
【００５０】
本実施形態は実施形態１に比べて、オプティカルロッド（内面反射部材）１４を用い、その光入射面１４ａを楕円鏡２の第２焦点２ｂに略一致させており、その光射出面１４ｂに略均一な照度分布を形成している点が異なっている。
【００５１】
第１の可変絞り３は内面反射部材１４の出射面１４ｂ近傍に配置している。内面反射部材１４と変倍光学系４は集光光学系の一要素を構成している。
【００５２】
内面反射部材１４の射出面１４ｂの光強度分布を結像変倍光学系４でオプティカルインテグレータ５の入射面５ａに投影している。
【００５３】
内面反射部材１４は内面反射都材に入射した光線が内面反射部材の側面で複数回反射する事によって，内面反射部材の入射面１４ａで不均一であった光強度を内面反射部材の射出面１４ｂで均一化する働きがある。内面反射部材としては，例えば，向かい合って配置された平面鏡で有っても良いし，単にロッド状の硝材であっても良い。ロッド状の硝材の場合には，光線はロッド状の側面に当った際に，硝材の屈折率と空気の屈折率の違いにより全反射するようにしている。
【００５４】
本実施形態ではオプティカルインテグレータ５の入射面５ａの光強度の均一性が高まり，より均一な２次光源像を得ることが出来る。
【００５５】
２次光源像の大きさの制御方法は実施形態１と同じである。即ち、本実施形態では内面反射部材１４の射出端１４ｂを物体面とし，オプティカルインテグレータ５の入射面５ａを像面とする結像変倍光学系４を備え，内面反射部材の射出面１４ｂ近傍に，光強度分布の大きさを変える可変絞り３を配置して，結像変倍光学系４の物体面での光強度分布の大きさとズーム比との組み合わせによって，連続的に２次光源像の大きさを変えている。
【００５６】
図５は本発明の照明装置を用いた投影露光装置の実施形態３の要部概略図である。
【００５７】
本実施形態は実施形態２に比べて、開口径可変の絞りとして複数の開口径が異なる内面反射部材を用いていること，これによって第１の可変絞り３を用いていない点が異なっている。
【００５８】
内面反射部材は入射面に入射した均一ではない光強度分布をその射出面で均一にして射出する働きがある。実施形態２のように，射出面に絞りを置いて光を遮光する場合は，遮光した面積分だけ絞りから先の光量は減ってしまう。
【００５９】
例えば，結像変倍光学系の物体面の大きさを２分の１にするために，内面反射部材の射出端で遮光したとすると，図６に示すように，光軸からの高さで２分の１の光が遮光されてしまい，絞りから先に到達する光量は４分の１になってしまう。
【００６０】
本実施形態では，内面反射部材の径を変化させるため，光を遮光するのは内面反射部材の入射面においてである。内面反射部材の入射面においては，光強度分布は均一化しておらず，図７のような中心部が高い光強度分布をしている。このため，内面反射部材の径を変えて，内面反射部材の入射面で光を遮光することにより，光量のロスを少なくすることができる。
【００６１】
内面反射部材の径を変える方法として，図８に示すように，径の異なる複数のロッド状の硝材１４−１，１４−２をタレット状に配置して，それらを選択する方法などが適用可能である。
【００６２】
以上のように本実施形態では、内面反射部材の射出端を物体面とし，オプティカルインテグレータの入射面を像面とする結像変倍光学系を備え，径の異なる複数の内面反射都材を入れ替える事によって，結像変倍光学系の物体面での光強度分布の大きさを変えて，ズーム比との組み合わせによって，連続的に２次光源像の大きさを変えている。
【００６３】
図９は本発明の照明装置を用いた投影露光装置の実施形態４の要部概略図である。先の実施形態１，２，３では、オプティカルインテグレータを用いて，被照明面を均一な照度で照明する照明装置であった。
【００６４】
これに対して，本実施形態では２つの内面反射部材を用いて，内面反射部材の出射端にて均一になった光強度分布を被照明面に投影する事によって，照明条件（σ）を変えて被照明面を均一な照度で照明している。
【００６５】
１は発散光源であり，光を特定の輝度分布と特定の配光分布で発散している。２は集光鏡であり，光源１から発散された光束を集光している。１４は第１の内面反射部材であり，被照明面における角度分布を均一にする働きがある。ただし第１の内面反射部材１４は必須ではなく，なくても良いし，オプティカルインテグレータを用いて同様の効果を得ることもできる。３は第１の可変絞りであり開口の大きさを違えた複数の絞りをタレット上に配置している。可変絞り３の絞りを選択する事によって，開口の大きさを変えている。
【００６６】
１５は焦点距離可変光学系であり、絞り３ａの位置の光強度の位置分布を，角度分布に変換して第２の内面反射部材１６の入射面１６ａに入射させる。第２の内面反射部材１６の入射面１６ａにおける角度分布の最大値は，駆動手段１０によって，駆動レンズ１５ｂを駆動する事によって変えている。第２の内面反射部材１６は，入射面１６ａの光強度分布を射出面１６ｂにおいて均一にする働きがある。
【００６７】
第２の内面反射部材１６の断面は、被照明領域と相似である。１７は，第２の内面反射部材１６の射出面１６ｂにおける光強度分布をレチクルＲに投影する照明光学系である。第２の内面反射部材１６の射出面１６ｂの光強度分布は均一であるので，光学系１７によってレチクルＲは均一な照度分布で照明される。
【００６８】
８は投影光学系であり，レチクルＲ上のパターンをウエハーＷ上に良好に投影結像する。９は可変絞りであり，可変手段１１によって，投影光学系のＮＡを可変としている。
【００６９】
制御装置１２は入力手段１３の入力に従って各要素３，１５，９を制御し，投影光学系８のＮＡと照明条件を所望の値に実現している。
【００７０】
焦点距離可変光学系１５によって内面反射部材１６の入射面１６ａへの入射角度を変え、出射面１６ｂからの光束の出射角度を変えて光学系１７でレチクルＲへの照明条件（σ）を調整している。
【００７１】
本実施形態は、その射出端の光強度分布を被照明面に投影する内面反射部材１６の入射面１６ａを像面とする焦点距離可変光学系１５を備え，コリメータ変倍光学系１５の瞳近傍に光強度分布の大きさを変える可変絞り３を配置して，焦点距離可変光学系１５の瞳位置での光強度の大きさとズーム比の組み合わせによって，連続的に照明光学系のＮＡを変えている。
【００７２】
本発明のデバイスの製造方法では、以上の投影露光装置で投影露光したウエハを公知の現像処理工程を用いてデバイスを製造している。
【００７３】
【発明の効果】
本発明によれば、結像変倍光学系のズーム比が小さくてもオプティカルインテグレータ又は内面反射部材の形成する２次光源像の大きさ又は角度分布を連続可変とし、所望の照明条件が容易に得られ、高集積度のパターン像を形成する際に好適な照明装置及びそれを用いた投影露光装置を達成することができる。
【００７４】
この他本発明によれば，結像変倍光学系の変倍率以上に連続的に，オプティカルインテグレータの形成する２次光源像の大きさを変えることができる。
【図面の簡単な説明】
【図１】本発明の照明装置を用いた投影露光装置の実施形態１の要部概略図
【図２】図１の一部分の拡大説明図
【図３】図１の一部分の拡大説明図
【図４】本発明の照明装置を用いた投影露光装置の実施形態２の要部概略図
【図５】本発明の照明装置を用いた投影露光装置の実施形態３の要部概略図
【図６】本発明に係る内面反射部材の射出面に絞りを入れた場合の光量の説明図
【図７】本発明に係る内面反射部材の入射面に絞りを入れた場合の光量の説明図
【図８】本発明に係る内面反射部材の径を可変とする説明図
【図９】本発明の照明装置を用いた投影露光装置の実施形態４の要部概略図
【図１０】本発明に係る開口径可変の絞りの説明図
【符号の説明】
１：光源
２：集光ミラー
３：可変絞り
４：結像変倍光学系
５：オプティカルインテグレーター
６：可変絞り
７：コンデンサーレンズ
８：投影光学系
９：可変絞り
１４：内面反射部材
１５：焦点距離可変光学系
１６：内面反射部材
１７：結像光学系
Ｒ：レチクル
Ｗ：ウエハ
【図２】
0003814444.tif 000002
【図３】
0003814444.tif 000003
【図５】
0003814444.tif 000004
【図６】
0003814444.tif 000005
【図７】
0003814444.tif 000006
【図８】
0003814444.tif 000007
【図９】
0003814444.tif 000008
【図１０】
0003814444.tif 000009
【図１】
0003814444.tif 000010
【図４】
0003814444.tif 000011